(57)【要約】      （修正有）【課題】ハーバリウムの瓶等の透明容器の中にメッセージ等を表示したプレートを植物等の被封止物と一緒に封止された際に、記載されたメッセージ等がハーバリウム内で浮かび上がるように認識される利点を奏するハーバリウム用プレートを提供する。【解決手段】植物を始めとする被封止物２３を、オイルを始めとする透明液体２４と共に透明容器２１に封止した観賞用のハーバリウム２０に被封止物２３と共に透明容器２１に封止されるプレート１０であって、プレート１０は透明基台部とこの透明基台部に突設されたメッセージ表示部とを備え、メッセージ表示部が透明基台部と相違する色に着色されているか又は非透明である。【選択図】図２
0003220343.tif 000002
【実用新案登録請求の範囲】
【請求項１】
植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であることを特徴とするハーバリウム用プレート。
【請求項２】
植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率と同程度の屈折率を有することを特徴とするハーバリウム用プレート。
【請求項３】
植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率と同程度の屈折率を有し、
前記プレートの外形は、前記透明容器の開口から内部に挿入可能な短手辺部と、前記透明容器の内側壁に一端部を立て掛けた状態で立設可能な長さの長手辺部とを備えたことを特徴とするハーバリウム用プレート。
【請求項４】
植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率の±0.03の範囲内の屈折率を有する材質ものからなり、
前記プレートの外形は、前記透明容器の開口から内部に挿入可能な短手辺部と、前記透明容器の内側壁に一端部を立て掛けた状態で立設可能な長さの長手辺部とを備え、
前記プレートの角部が丸く面取りされていることを特徴とするハーバリウム用プレート。
【請求項５】
植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率の±0.03の範囲内の屈折率を有する材質ものからなり、
前記プレートの外形は、前記透明容器の開口から内部に挿入可能な短手辺部と、前記透明容器の内側壁に一端部を立て掛けた状態で立設可能な長さの長手辺部とを備え、
前記短手辺部と長手辺部とが鋭角で交差する角部を有する平行四辺形様のプレートであることを特徴とするハーバリウム用プレート。
【請求項６】
植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率の±0.03の範囲内の屈折率を有する材質ものからなり、
前記プレートの外形は、前記透明容器の開口から内部に挿入可能な短手辺部と、前記透明容器の内側壁に一端部を立て掛けた状態で立設可能な長さの長手辺部とを備え、
前記プレートの角部が丸く面取りされており、
前記短手辺部と長手辺部とが鋭角で交差する角部を有する平行四辺形様のプレートであることを特徴とするハーバリウム用プレート。
【考案の詳細な説明】
【技術分野】
【０００１】
本考案は、植物を始めとする被封止物を、オイルを始めとする透明液体と共に透明容器に封止した観賞用のハーバリウムに被封止物と共に前記透明容器に封止されるプレートに関するものである。
【背景技術】
【０００２】
近年、植物を始めとする被封止物を、オイルを始めとする透明液体と共に透明容器に封止したハーバリウムを作製して観賞用に部屋に飾ったり、プレゼントとして送ったりしていることが流行しつつある。生花よりも遙かに長持ちし、また、封止する花や他の被封止物との組合せによってセンスが表されるからである。
【０００３】
ハーバリウムの関連の提案としては、透明容器内に封止される標本を容器内で浮遊させないために、透明な支持体に標本を固定して透明容器内に配置させ、透明な支持体に対してほぼ同一の屈折率のオイルを注入することが提案されている（特許文献１参照）。
【０００４】
このハーバリウムに封止される被封止物としては、主としてドライフラワーやプリザーブドフラワーである。このハーバリウムを贈り物とする際には、送る相手へのメッセージを透明容器である瓶の首等にメッセージタグを付けたり、透明シールとして瓶の外側面に貼り付けたりすることもあった。
【先行技術文献】
【特許文献】
【０００５】
【特許文献１】特開２０１８−１６５２６２号公報
【考案の概要】
【考案が解決しようとする課題】
【０００６】
しかしながら、ハーバリウムの作品にメッセージタグや透明シール以外のメッセージを付加する他の方法が望まれており、本考案は、ハーバリウムの瓶等の透明容器の中にメッセージ等を表示したプレートとして植物等の被封止物と一緒に封止された際に、記載されたメッセージ等がハーバリウム内で浮かび上がるように認識される利点を奏するハーバリウム用プレートを得ることを目的とする。
【課題を解決するための手段】
【０００７】
請求項１に記載された考案に係るハーバリウム用プレートは、植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であることを特徴とするものである。
【０００８】
請求項２に記載された考案に係るハーバリウム用プレートは、植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率と同程度の屈折率を有することを特徴とするものである。
【０００９】
請求項３に記載された考案に係るハーバリウム用プレートは、植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率と同程度の屈折率を有し、
前記プレートの外形は、前記透明容器の開口から内部に挿入可能な短手辺部と、前記透明容器の内側壁に一端部を立て掛けた状態で立設可能な長さの長手辺部とを備えたことを特徴とするものである。
【００１０】
請求項４に記載された考案に係るハーバリウム用プレートは、植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率の±0.03の範囲内の屈折率を有する材質ものからなり、
前記プレートの外形は、前記透明容器の開口から内部に挿入可能な短手辺部と、前記透明容器の内側壁に一端部を立て掛けた状態で立設可能な長さの長手辺部とを備え、
前記プレートの角部が丸く面取りされていることを特徴とするものである。
【００１１】
請求項５に記載された考案に係るハーバリウム用プレートは、植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率の±0.03の範囲内の屈折率を有する材質ものからなり、
前記プレートの外形は、前記透明容器の開口から内部に挿入可能な短手辺部と、前記透明容器の内側壁に一端部を立て掛けた状態で立設可能な長さの長手辺部とを備え、
前記短手辺部と長手辺部とが鋭角で交差する角部を有する平行四辺形様のプレートであることを特徴とするものである。
【００１２】
請求項６に記載された考案に係るハーバリウム用プレートは、植物を始めとする被封止物を、オイルを始めとする透明液体と共に透明容器に封止した観賞用のハーバリウムに前記被封止物と共に前記透明容器に封止されるプレートにおいて、
前記プレートは、透明基台部と、この透明基台部に突設されたメッセージ表示部とを備え、
前記メッセージ表示部が、前記透明基台部と相違する色に着色されているか又は非透明であり、
前記透明基台部が、前記透明液体の屈折率の±0.03の範囲内の屈折率を有する材質ものからなり、
前記プレートの外形は、前記透明容器の開口から内部に挿入可能な短手辺部と、前記透明容器の内側壁に一端部を立て掛けた状態で立設可能な長さの長手辺部とを備え、
前記プレートの角部が丸く面取りされており、
前記短手辺部と長手辺部とが鋭角で交差する角部を有する平行四辺形様のプレートであることを特徴とするものである。
【考案の効果】
【００１３】
本考案は、ハーバリウムの瓶等の透明容器の中にメッセージ等を表示したプレートとして一緒に封止された際に、記載されたメッセージ等がハーバリウム内で浮かび上がるように認識される利点を奏するハーバリウム用プレートを得ることができるという効果がある。
【図面の簡単な説明】
【００１４】
【図１】本考案のハーバリウム用プレートの一実施例の構成を示す説明図であり、ａ図は平面図、ｂ図は側面図である。
【図２】図１のハーバリウム用プレートの使用状態を示す説明図である。
【図３】図１のハーバリウム用プレートを得る製造工程を示す説明図であり、Ａ工程〜Ｃ工程を示す平面図及び断面図である。
【図４】図１のハーバリウム用プレートを得る製造工程を示す説明図であり、Ｄ工程〜Ｆ工程を示す平面図及び断面図である。
【考案を実施するための形態】
【００１５】
本考案においては、植物を始めとする被封止物を、オイルを始めとする透明液体と共に透明容器に封止した観賞用のハーバリウムに前記被封止物と共に前記透明容器に封止されるプレートにおいて、プレートは透明基台部とこの透明基台部に突設されたメッセージ表示部とを備え、メッセージ表示部が透明基台部と相違する色に着色されているか又は非透明であるため、ハーバリウムの透明容器の中に一緒に封止された際に、メッセージ表示部がハーバリウム内で浮かび上がるように認識される利点を奏するハーバリウム用プレートを得ることができる。
【００１６】
即ち、本考案のプレートの透明基台部としては、高い透明度を有することによりメッセージ表示部越しに被封止物を良好に認識することができるため、その手前のメッセージ表示部がハーバリウム内で浮かび上がるように認識される、また、好ましくは、一緒に封止される透明液体と同程度の屈折率を有するものであれば、更に、透明基台部と透明液体との境界が認識され難くなるため、メッセージ表示部のみがハーバリウム内で浮かび上がるように認識される。即ち、ハーバリウムで用いるオイルは、流動パラフィン（屈折率：1.48）やシリコンオイル（屈折率：1.40）等が用いられるため、透明基台部の透明樹脂等の屈折率と同程度の屈折率の透明液体を用いることにより、透明基台部がオイルと同化するため、メッセージ表示部のみがハーバリウムの瓶等の透明容器の中で浮かび上がるように認識される利点を奏する。
【００１７】
尚、例えば同程度の屈折率としては、より好ましくは、バーバリウムで封止される透明液体の屈折率の±0.03の範囲内であれば、透明基台部と透明液体との境界がより注意して凝視しなければ認識されず、透明基台部が認識されないために、よりメッセージ表示部のみが際立って透明容器の中で浮かび上がるように認識される利点を奏する。
【００１８】
具体的には、シリコンオイル（屈折率：1.40）に対して、シリコーンゴム（屈折率：1.40）、シリコーン樹脂（屈折率：1.43）等の透明樹脂を透明基台部として用いればよい。流動パラフィン（屈折率：1.48）に対して、アクリルゴム（屈折率：1.465）、ポリプロピレン（屈折率：1.48）、エチレンプロピレンゴム（屈折率：1.48）、ウレタン（屈折率：1.49）、アクリル樹脂（屈折率：1.49〜1.53）、ポリメタクリル酸メチル樹脂（屈折率：1.491）、ポリメタクリル酸メチル樹脂（屈折率：1.50〜1.57）等の透明樹脂を透明基台部として用いればよい。
【００１９】
本考案のプレートのメッセージ表示部は、封止された被封止物を鑑賞する人に対してメッセージや伝言等を表記するものであるため、あたかも透明容器の中で浮かび上がるように認識される。例えば、バースデープレゼントしてハーバリウムを贈る場合には、「ハッピーバースデー」のメッセージを表記したり、クリスマスプレゼントとして贈る場合には、「メリークリスマス」等のメッセージを表記したりすればよい。また、ハーバリウムの作者名を入れたり、被封止物の植物名を伝言として入れたり等することも可能である。
【００２０】
本考案のプレートの透明基台部は、透明な部分が周りの同程度の屈折率の透明液体との境界を認識し難くするのであれば、透明液体と同等の色を付けてもよい。例えば、透明液体が薄い黄色であれば、同程度の薄い黄色の透明基台としてもよい。また、透明基台部は、同程度の屈折率の透明液体との境界が認識し難くなるが、透明基台部の一部にメッセージ表示部を際立たせるパターンを表示させてもよい。例えば、メッセージ表示部側の一面に鮮やかな色のパターンを表示させてもよい。
【００２１】
本考案のプレートの外形は、被封止物と透明液体と共に封止される透明容器の開口から容器内部に挿入可能な形状であればよく、透明容器として多くの場合には、密封可能な瓶状の透明容器を用いるため、好ましくは、透明容器の開口から内部に挿入可能な短手辺部と、透明容器の内側壁に一端部を立て掛けた状態で立設可能な長さの長手辺部とを備えたものが挙げられる。尚、透明容器の内側壁に一端部を立て掛けた状態で立設可能な長さの長手辺部を有するため、透明容器の内法の寸法以上の長さとすることができる。このため、メッセージ表示部の面積を大きくとることが可能となるため、長いメッセージでも表示可能としたり、或いはメッセージの寸法を大きくすることが可能となる。
【００２２】
更に好ましくは、本考案のプレートの外形としては、短手辺部と長手辺部とが鋭角で交差する角部を有する平行四辺形様のプレートであるものが挙げられる。平行四辺形とすることにより、透明容器の内側壁に一端部を立て掛けた状態で立設させた際に、プレートの下方の頂点部分が透明容器の底面と内側壁との交点部分に合わせ、この下方の頂点部に対向する上方の頂点部を一端とする短手辺部が透明容器の内側壁に沿うように立てかけた状態で立設することができるため、ハーバリウムの透明容器内で配置させやすい利点を奏する。
【００２３】
更に好ましくは、本考案のプレートの外形としては、プレートの角部が丸く面取りされているものが挙げられる。これにより、透明容器の内側壁に一端部を立て掛けた状態で立設させた際に、プレートの下方の頂点部分が透明容器の底面と内側壁との交点部分に合わせ易く、良好に立設状態を維持することができるため、ハーバリウムの透明容器内で配置させ易い利点を奏する。
【実施例】
【００２４】
図１は本考案のハーバリウム用プレートの一実施例の構成を示す説明図であり、ａ図は平面図、ｂ図は側面図である。図２は図１のハーバリウム用プレートの使用状態を示す説明図である。図３及び図４は図１のハーバリウム用プレートを得る製造工程を示す説明図であり、Ａ工程〜Ｆ工程を示す平面図及び断面図である。
【００２５】
図１に示す通り、本実施例のハーバリウム用プレート１０は、板厚５ｍｍの四隅を丸く面取りした平行四辺形の外形を有する透明基台部１１と、この透明基台部１１の一面側に突設された青色の色素で着色されたメッセージ表示部１２とを備えている。尚、本実施例では、２つの平行辺同士の角度は４５°である。尚、メッセージ表示部１２は「ＨＡＰＰＹ  ＢＩＲＴＨＤＡＹ」のメッセージが表記された例を示す。
【００２６】
本実施例のハーバリウム用プレート１０は、図２に示す通り、観賞用のハーバリウム２０に封止される。即ち、ハーバリウム用プレート１０は、被封止物として種々のドライフラワー２３と共に透明容器としての底面が略四角形の透明瓶２１内に配置し、透明液体として流動パラフィンの封止オイル２４を注入し、透明瓶２１の開口をスクリューキャップ２２で封止されることにより、ハーバリウム２０を鑑賞する人に対してメッセージや伝言等を表示する。この際、メッセージ表示部越しに被封止物を良好に認識することができるため、メッセージ表示部１２がハーバリウム２０内で浮かび上がるように認識される。
【００２７】
更に加えて、本実施例の封止オイル２４は、シリコンオイル（屈折率：1.40）も用いることができるが、流動パラフィン（屈折率：1.48）を用いた。本実施例のハーバリウム用プレート１０の透明基台部１１とメッセージ表示部１２とは、用いた封止オイル２４との境界が認識され難いアクリル樹脂（屈折率：1.49〜1.53）系の光硬化樹脂で作製した。このため、更に、透明基台部と透明液体との境界が目を凝らしても認識され難くなり、メッセージ表示部１２のみがハーバリウム２０内でより浮かび上がるように認識される。
【００２８】
本実施例のハーバリウム用プレート１０の作製は図３及び図４のＡ工程〜Ｆ工程で示す工程で行った。詳しくは、Ａ及びＢ工程に示す通り、メッセージ表示部１２を作製するために、シリコンゴム製の第１成形型として型プレート３１を用いる。型プレート３１には、メッセージとして「ＨＡＰＰＹ  ＢＩＲＴＨＤＡＹ」の裏文字が陥凹された陥凹部３２が形成されている。
【００２９】
Ｂ工程に示す通り、これら陥凹部３２に青色の色素で着色された光硬化樹脂液を注入する。図示していないが、個々の陥凹部３２に溢れる程度の光硬化樹脂液を注いだ後に、スキージで型プレート３１の注入面をこそいで陥凹部３２のみに光硬化樹脂液が溜まるようにした後、光硬化樹脂を硬化させる波長の光を含む光を照射して、陥凹部３２の光硬化樹脂液を硬化させ、メッセージ表示部１２を得た。
【００３０】
Ｃ工程に示す通り、型プレート３１の陥凹部３２で固化させたメッセージ表記部１２に連設する透明基台部１１を作るために、型プレート３１を第２の成形型としての枠プレート３３内に嵌合させた。枠プレート３３は、型プレート３１と同じシリコンゴム製の型枠であり、中央に凹部３４が形成され、この凹部３４の底面形状は、型プレート３１が嵌合される形状であり、その周囲に立設された縁部３５が形成されている。
【００３１】
Ｄ工程に示す通り、枠プレート３３の凹部３４内に型プレート３１を嵌合させた後、Ｅ工程に示す通り、縁部３５で囲まれた凹部３４に透明な光硬化樹脂液を注ぐ。注がれた透明な光硬化樹脂液は、陥凹部３２に注いだ樹脂と同じ成分であるが、透明である点のみが相違する。厚さとして５ｍｍ厚となるように透明な光硬化樹脂液を注液した後に、光硬化樹脂を硬化させる波長の光を含む光を照射して光硬化樹脂液を硬化させてメッセージ表示部１２と連結された透明基台部１１を得た。
【００３２】
Ｆ工程に示す通り、硬化されたメッセージ表示部１２と連結された透明基台部１１とのハーバリウム用プレート１０を型プレート３１と枠プレート３３とから取り外す。
【符号の説明】
【００３３】
１０…ハーバリウム用プレート、
１１…透明基台部、
１２…メッセージ表示部、
２０…ハーバリウム、
２１…透明瓶（透明容器）、
２２…スクリューキャップ、
２３…ドライフラワー（被封止物）、
２４…封止オイル（透明液体）、
３１…型プレート、
３２…陥凹部、
３３…枠プレート、
３４…凹部、
３５…縁部、
【図１】
0003220343.tif 000003
【図２】
0003220343.tif 000004
【図３】
0003220343.tif 000005
【図４】
0003220343.tif 000006